(57)【特許請求の範囲】
【請求項１】
リード線を接続する接続部を有する第一片部と第二片部とを分離可能に結合してなる端子台を、据付レールに沿って複数連結してなる連結端子台の端部に取り付けられて、連結端子台を、各端子台の第一片部が連結した第一片部列と、各端子台の第二片部が連結した第二片部列とに分離するための端子台分離器であって、
据付レールに取り付けられて、連結端子台の第一片部列の端部と連結する固定片と、固定片に対して分離可能に取り付けられて、連結端子台の第二片部列の端部と連結する分離片と、固定片に対して据付レールの長手方向の回動軸を中心に回動可能に保持される回動片とを備え、
回動片は、回動中心から、据付レールの長手方向と直交する方向に延出する作用端部を備え、固定片と分離片の結合状態では所定の通常位置に保持されており、
回動片を前記通常位置から回動操作すると、作用端部が分離片を押圧することで、分離片が固定片から分離する方向に移動し、これにより、分離片と連結する第二片部列を第一片部列から分離する方向に移動させるものであり、
分離片は、固定片の一側上部に装着され、回動片は、固定片の他側上部に回動可能に保持されて、その作用端部を分離片の下方に位置させており、
回動片を前記通常位置から回動操作すると、作用端部が分離片を押し上げることで、分離片が固定片から分離するよう構成され、
前記端子台は、リード線を接続する接続部を形成する導電金具を具備しており、
該導電金具は、第一片部に装着される第一金具と、第二片部に装着される第二金具とによって構成されており、
第一片部と第二片部の結合状態では、第一金具と第二金具が上下方向に密嵌して相互に圧接することで、第一金具と第二金具とが電気的に接続され、第一片部と第二片部が分離する際は、第二片部が第一片部の上方に相対移動するのに伴って、前記第二金具が第一金具から脱落するものであり、
回動片の作用端部が分離片を押し上げる位置は、各端子台の第一金具と第二金具が密嵌する位置と、据付レールの長手方向に沿って一列に配列されることとなる位置に設けられていることを特徴とする端子台分離器。
【請求項２】
回動片には、前記通常位置で、分離片と係合して分離片の上方移動を規制する規制爪が設けられており、回動片を前記通常位置から回動させると規制爪が分離片から退避して、分離片が上方移動可能となることを特徴とする請求項１に記載の端子台分離器。
【請求項３】
回動片には、据付レールの長手方向と直交する方向に梃子棒挿入穴が形成されており、該梃子棒挿入穴に梃子棒を挿入し、該梃子棒を傾動させることによって回動片を回動させ得るように構成されていることを特徴とする請求項１又は請求項２に記載の端子台分離器。
【請求項４】
回動片には、据付レールの長手方向と直交する方向に延出する操作端部が設けられており、該操作端部を押圧操作することで、回動片を回動させ得るように構成されていることを特徴とする請求項１乃至請求項３のいずれか１項に記載の端子台分離器。
【請求項５】
リード線を接続する接続部を有する第一片部と第二片部とを分離可能に結合してなる端子台を、据付レールに沿って複数連結してなる連結端子台の端部に取り付けられて、連結端子台を、各端子台の第一片部が連結した第一片部列と、各端子台の第二片部が連結した第二片部列とに分離するための端子台分離器であって、
据付レールに取り付けられて、連結端子台の第一片部列の端部と連結する固定片と、固定片に対して分離可能に取り付けられて、連結端子台の第二片部列の端部と連結する分離片と、固定片に対して据付レールの長手方向の回動軸を中心に回動可能に保持される回動片とを備え、
回動片は、回動中心から、据付レールの長手方向と直交する方向に延出する作用端部を備え、固定片と分離片の結合状態では所定の通常位置に保持されており、
回動片を前記通常位置から回動操作すると、作用端部が分離片を押圧することで、分離片が固定片から分離する方向に移動し、これにより、分離片と連結する第二片部列を第一片部列から分離する方向に移動させるものであり、
回動片に摺動可能に配設されて、固定片と当接して回動片を通常位置から回動不能とする固定位置と、固定片から退避して回動片を回動可能とする解除位置とに摺動操作可能なロック片を備えることを特徴とする端子台分離器。
【請求項６】
回動片には、据付レールの長手方向と直交する方向に梃子棒挿入穴が形成されており、該梃子棒挿入穴に梃子棒を挿入し、該梃子棒を傾動させることによって回動片を回動させ得るように構成されたものであり、
ロック片は、梃子棒挿入穴を前記固定位置で閉鎖し、前記解除位置で開放するものであることを特徴とする請求項５に記載の端子台分離器。
【請求項７】
回動片の上にロック片の上端部が露出しており、該上端部を操作することで、ロック片を固定位置と解除位置とに摺動させるよう構成されていることを特徴とする請求項５又は請求項６に記載の端子台分離器。
【請求項８】
据付レールと、
該据付レールに取り付けられる第一片部と、第一片部に対して分離可能に取り付けられる第二片部とを具備する端子台を、据付レールに沿って複数連結してなる連結端子台と、
該連結端子台の端部に取り付けられる、請求項１乃至請求項７のいずれか１項に記載の端子台分離器とを備えてなる集合端子台装置。
【発明の詳細な説明】
【技術分野】
【０００１】
本発明は、２ピース式の端子台を連結してなる連結端子台を二つに分離するための端子台分離器に関する。
【背景技術】
【０００２】
リード線を接続する複数の接続部を備え、各接続部に接続された各リード線相互を電気的に接続する板状の端子台は種々提案されている。こうした端子台は厚み方向に複数連結されて連結端子台を構成し、かかる連結端子台を、さらに据付レール上に保持することで、集合端子台装置を構成している。
【０００３】
こうした端子台にあって、夫々接続部を有する二片に分離可能な２ピース式の端子台が知られている。具体的には、２ピース式の端子台６は、図４，７に示すように、第一片部６ａと第二片部６ｂとに分離することで、両側の接続部２２に接続されるリード線相互を、接続部２２から抜き取ることなく非接続状態とすることができる。かかる端子台６によれば、図８に示すように、連結端子台３が、各端子台６の第一片部６ａが連結されてなる第一片部列３ａと、各端子台６の第二片部６ｂが連結されてなる第二片部列３ｂとに分離可能となり、必要に応じて連結端子台３を第一片部列３ａと第二片部列３ｂとに分離することで、効率よくメンテナンスを行い得るようになっている。
【０００４】
ここで、連結端子台を第一片部列と第二片部列に分離可能な集合端子台装置では、連結端子台の端部に、連結端子台を分離するための端子台分離器が取り付けられる（例えば、特許文献１）。この端子台分離器は、固定片と、固定片に脱着可能に結合する分離片の二片で構成され、固定片を第一片部列の端部と連結し、分離片を第二片部列の端部と連結するように取り付けられ、分離片を固定片から分離させると、第二片部列が第一片部列から分離する方向に従動するよう構成されている。
【先行技術文献】
【特許文献】
【０００５】
【特許文献１】意匠登録第１０８６８３８号公報  組み立てた状態を示す参考斜視図
【発明の概要】
【発明が解決しようとする課題】
【０００６】
従来の端子台分離器は、上記特許文献１に示されるように、分離片に、据付レールの長手方向に延出するツマミを設け、該ツマミを摘んで分離片を持ち上げることによって、分離片を固定片から分離させるよう構成されている。しかしながら、集合端子台装置は、据付レールの長手方向に長尺であるため、据付レールの長手方向に端子台分離器のツマミを突出させると、集合端子台装置が一層長いものとなり、また、ツマミの先端にツマミを摘むための空間を確保する必要もあるため、集合端子台装置を設置するのに比較的広いスペースが必要であった。
【０００７】
本発明は、かかる現状に鑑みてなされたものであり、従来よりも集合端子台装置の設置が容易な端子台分離器、及び該端子台分離器を備える集合端子台装置の提供を目的とする。
【課題を解決するための手段】
【０００８】
本発明は、リード線を接続する接続部を有する第一片部と第二片部とを分離可能に結合してなる端子台を、据付レールに沿って複数連結してなる連結端子台の端部に取り付けられて、連結端子台を、各端子台の第一片部が連結した第一片部列と、各端子台の第二片部が連結した第二片部列とに分離するための端子台分離器であって、据付レールに取り付けられて、連結端子台の第一片部列の端部と連結する固定片と、固定片に対して分離可能に取り付けられて、連結端子台の第二片部列の端部と連結する分離片と、固定片に対して据付レールの長手方向の回動軸を中心に回動可能に保持される回動片とを備え、回動片は、回動中心から、据付レールの長手方向と直交する方向に延出する作用端部を備え、固定片と分離片の結合状態では所定の通常位置に保持されており、回動片を前記通常位置から回動操作すると、作用端部が分離片を押圧することで、分離片が固定片から分離する方向に移動し、これにより、分離片と連結する第二片部列を第一片部列から分離する方向に移動させることを特徴とする端子台分離器である。
【０００９】
かかる構成にあっては、据付レールの長手方向の回動軸を中心に回動片を回動操作することで連結端子台を第一片部列と第二片部列とに分離させることができるから、上記従来構成に比べて、据付レールの長手方向にツマミを延成する必要がない分、集合端子台装置の長手方向の寸法を短くすることができる。また、本発明の端子台分離器を備えた集合端子台装置には、据付レールの短手方向に回動片を回動操作するためのスペースが必要となるが、端子台分離器の構成に関わらず、据付レールの短手方向には、各端子台にリード線を接続するためのスペースが確保されるため、回動片を回動操作するためのスペースは、別途確保する必要がない。
【００１０】
本発明にあって、分離片は、固定片の一側上部に装着され、回動片は、固定片の他側上部に回動可能に保持されて、その作用端部を分離片の下方に位置させており、回動片を前記通常位置から回動操作すると、作用端部が分離片を押し上げることで、分離片が固定片から分離するよう構成されていることが提案される。
【００１１】
かかる構成にあっては、端子台分離器の片側上部の回動片を回動操作するだけで、反対側の分離片を下方から押し上げることができるから、比較的簡単な操作によって固定片と分離片とを確実に分離させることができる。
【００１２】
また、本発明にあって、前記端子台は、リード線を接続する接続部を形成する導電金具を具備しており、該導電金具は、第一片部に装着される第一金具と、第二片部に装着される第二金具とによって構成されており、第一片部と第二片部の結合状態では、第一金具と第二金具が上下方向に密嵌して相互に圧接することで、第一金具と第二金具とが電気的に接続され、第一片部と第二片部が分離する際は、第二片部が第一片部の上方に相対移動するのに伴って、前記第二金具が第一金具から脱落するものであり、回動片の作用端部が分離片を押し上げる位置は、各端子台の第一金具と第二金具が密嵌する位置と、据付レールの長手方向に沿って一列に配列されることとなる位置に設けられていることが提案される。
【００１３】
かかる構成にあっては、連結端子台を分離させる際に、各端子台の第二金具を第一金具から脱落させることとなるが、第二金具は第一金具と密嵌状態にあるため、第一金具から脱落させるには、第二金具を比較的強い力で上方移動させる必要がある。これに対し、かかる端子台分離器では、作用端部が分離片を押圧する位置が、第一金具と第二金具が密嵌する位置と、据付レールの長手方向に一列に並ぶように構成しているため、回動片によって分離片を押し上げる力を、第二金具が第一金具と嵌合する部分に効率的に伝達できる。したがって、かかる構成によれば、連結端子台を比較的少ない力で円滑に分離することができる。
【００１４】
また、本発明にあって、回動片には、前記通常位置で、分離片と係合して分離片の上方移動を規制する規制爪が設けられており、回動片を前記通常位置から回動させると規制爪が分離片から退避して、分離片が上方移動可能となることが提案される。
【００１５】
かかる構成にあっては、振動や衝撃などによって分離片が分離するのを防ぐことができ、連結端子台が意図せずに分離してしまうのを防止できる。また、規制爪は、回動片を通常位置から回動させる動きに合わせて分離片から退避するため、分離片を分離させる時に、規制爪による規制を簡単に解除できるという利点がある。
【００１６】
また、本発明にあって、回動片には、据付レールの長手方向と直交する方向に梃子棒挿入穴が形成されており、該梃子棒挿入穴に梃子棒を挿入し、該梃子棒を傾動させることによって回動片を回動させ得るように構成されていることが提案される。ここで、梃子棒としては、ドライバーなどの棒状工具を好適に用いることができる。
【００１７】
かかる構成にあっては、梃子棒を介して回動片を回動させることで、端子台分離器が、作業者の手の届き難い狭い場所や遠い場所にある場合でも、容易に回動片を操作でき、また、梃子作用を利用することで、連結端子台を少ない力で二列に分離させることができる。また、かかる構成では、回動片にツマミを設けずに、梃子棒挿入穴を設けるだけでよいため、回動片が嵩張りにくいという利点もある。
【００１８】
また、本発明にあって、回動片には、据付レールの長手方向と直交する方向に延出する操作端部が設けられており、該操作端部を押圧操作することで、回動片を回動させ得るように構成されていることが提案される。
【００１９】
かかる構成にあっては、梃子棒などの道具を用いることなく回動片を回動操作することが可能となる。なお、操作端部は、据付レールの長手方向と直交する方向に延出しているため、据付レールの長手方向に突出する従来構成のツマミに比べて嵩張り難く、また、操作し易いという利点がある。
【００２０】
また、本発明にあって、回動片に摺動可能に配設されて、固定片と当接して回動片を通常位置から回動不能とする固定位置と、固定片から退避して回動片を回動可能とする解除位置とに摺動操作可能なロック片を備えることが提案される。
【００２１】
かかる構成にあっては、ロック片が固定位置にある状態では、意図せずに回動片に触れてしまったとしても回動片が回動することはないため、連結端子台が不用意に分離することがなくなり、集合端子台装置の安全性を向上させることができる。
【００２２】
また、本発明にあって、回動片には、据付レールの長手方向と直交する方向に梃子棒挿入穴が形成されており、該梃子棒挿入穴に梃子棒を挿入し、該梃子棒を傾動させることによって回動片を回動させ得るように構成されたものであり、ロック片は、梃子棒挿入穴を前記固定位置で閉鎖し、前記解除位置で開放するものであることが提案される。
【００２３】
ロック片によって回動片を回動不能とした状態では、梃子棒の梃子作用によって回動片に強いトルクを加えると、回動片が破損するおそれがあるが、かかる構成にあっては、ロック片が固定位置にある状態では、梃子棒挿入穴に梃子棒を挿入できなくなるため、誤操作によって回動片が破損してしまうのを確実に防止できる。
【００２４】
また、本発明にあって、回動片の上にロック片の上端部が露出しており、該上端部を操作することで、ロック片を固定位置と解除位置とに摺動させるよう構成されていることが提案される。かかる構成にあっては、ロック片を簡単に操作可能となるだけでなく、ロック片の上端部の位置によって、回動片がロック片によって固定されているか否かを一目で把握できる。
【００２５】
また、本発明の別の態様は、据付レールと、該据付レールに取り付けられる第一片部と、第一片部に対して分離可能に取り付けられる第二片部とを具備する端子台を、据付レールに沿って複数連結してなる連結端子台と、該連結端子台の端部に取り付けられる、上記端子台分離器とを備えてなる集合端子台装置である。
【００２６】
かかる構成によれば、従来構成に比べてコンパクトで、設置が容易な集合端子台装置を実現できる。
【発明の効果】
【００２７】
以上に述べたように、本発明の端子台分離器では、集合端子台装置の端部に、据付レールの長手方向に突き出るツマミを設ける必要がなく、また、ツマミを操作するためのスペースを確保する必要もない。このため、本発明の端子台分離器によれば、集合端子台装置の長手方向の寸法を従来構成に比べて短くすることができ、本発明の端子台分離器を備えた集合端子台装置は、従来構成に比べて設置に要するスペースが少なく、設置容易なものとなる。
【図面の簡単な説明】
【００２８】
【図１】集合端子台装置１の斜視図である。
【図２】集合端子台装置１の分解斜視図である。
【図３】端子台６の正面図である。
【図４】端子台６の斜視図である。
【図５】端子台６を相互に連結する態様を示す斜視図である。
【図６】第一片部６ａと第二片部６ｂを分離して示す、端子台６の正面図である。
【図７】第一片部６ａと第二片部６ｂを分離して示す、端子台６の斜視図である。
【図８】連結端子台３の斜視図であり、（ａ）は、第一片部列３ａと第二片部列３ｂの結合状態を、（ｂ）は、第一片部列３ａと第二片部列３ｂに分離した状態を示す。
【図９】端子台分離器４ａの斜視図である。
【図１０】端子台分離器４ａの分解斜視図である。
【図１１】回動片４２が通常位置Ｐにある状態を示す、端子台分離器４ａの部分断面図である。
【図１２】回動片４２を押出位置Ｑに回動した状態を示す、端子台分離器４ａの部分断面図である。
【図１３】端子台分離器４ａと端子台６の連結態様を示す斜視図である。
【図１４】端子台分離器４ｂと端子台６の連結態様を示す斜視図である。
【図１５】連結端子台３を分離させる際の操作態様を示す説明図である。
【図１６】図１５から続く、連結端子台３を分離させる際の操作態様を示す説明図である。
【図１７】変形例の端子台分離器４ｃの分解斜視図である。
【図１８】ロック片４３が固定位置Ｒにある状態を示す、変形例の端子台分離器４ｃの斜視図である。
【図１９】ロック片４３が固定位置Ｒにある状態を示す、変形例の端子台分離器４ｃの部分断面図である。
【図２０】ロック片４３が解除位置Ｓにある状態を示す、変形例の端子台分離器４ｃの斜視図である。
【図２１】ロック片４３が解除位置Ｓにある状態を示す、変形例の端子台分離器４ｃの部分断面図である。
【図２２】回動片４２ａを押出位置Ｑに回動させた状態を示す、変形例の端子台分離器４ｃの斜視図である。
【図２３】回動片４２ａを押出位置Ｑに回動させた状態を示す、変形例の端子台分離器４ｃの部分断面図である。
【発明を実施するための形態】
【００２９】
本発明の実施形態を、以下の実施例に従って説明する。
【００３０】
集合端子台装置１は、図１，２に示すように、金属製の据付レール２に、連結端子台３と、端子台分離器４ａ，４ｂと、固定金具５，５とを取り付けてなるものである。
据付レール２は、図２に示すように、両側の側壁１２，１２の上端に、幅方向へ突出する連係板座１３，１３を長手方向に沿って形成してなるものである。連結端子台３等は、この連係板座１３と係合することにより据付レール２に装着される。連結端子台３は、板状をなす２ピース式の端子台６を据付レール２に沿って重ねて、相互に連結してなるものである。端子台分離器４ａ，４ｂは、連結端子台３の両端部に一つずつ配設され、連結端子台３の各端部と連結している。固定金具５，５は、端子台分離器４ａ，４ｂの外側に当接するように配設される。固定金具５は、二つの金属片をネジで組み付けてなるものであり、据付レール２の連係板座１３に係合させた状態でネジを緊締することで、据付レール２上に固定される。そして、固定金具５がレール上に固定されることにより、連結端子台３及び端子台分離器４ａ，４ｂが据付レール２の長手方向に移動しないよう固定される。この固定金具５は、従来構成を好適に用い得るため、詳細な説明は省略する。また、連結端子台３の上部には、据付レール２の長手方向に沿った記名板９が装着される。また、集合端子台装置１には、連結端子台３及び端子台分離器４ａ，４ｂを据付レール２の長手方向に貫通し、連結端子台３と端子台分離器４ａ，４ｂを一体的に締結する連結ネジ７が設けられる。
【００３１】
図３，４に示すように、端子台６は、二本のリード線Ｌ，Ｌを相互に接続するためのものであり、変性ＰＰＯ樹脂等の絶縁性樹脂材料によって板状に形成された樹脂製基板２０を主体部とする。樹脂製基板２０には、板状の導電金具２１が横断状に装着される。この導電金具２１の両側部はリード線Ｌを接続する平板状の接続部２２，２２を構成し、導電金具２１は、左右の接続部２２に接続されるリード線Ｌを電気的に相互接続する。導電金具２１の各接続部２２には可動座金部材２３が昇降移動可能に保持されており、また、該可動座金部材２３には取付ネジ２４が挿通装着されている。また、樹脂製基板２０には、各可動座金部材２３を上方に付勢する圧縮コイルバネ２５が装着される。リード線Ｌを接続部２２に接続する際には、取付ネジ２４を外した状態で、リード線Ｌの端部の圧着端子Ｕを可動座金部材２３と接続部２２の間に挿入し、次いで、取付ネジ２４を接続部２２に螺着して、可動座金部材２３と接続部２２の間に圧着端子Ｕを脱落不能に挟持する。これにより、各接続部２２に接続したリード線Ｌは導電金具２１を介して結線されることとなる。なお、以下の説明では、図３に示される側を端子台６の正面側として説明する。
【００３２】
樹脂製基板２０は、図３、４に示すように、背板２７から所定肉厚の画成壁２８を突出させることにより、導電金具２１や可動座金部材２３を装着する座定溝面２９などを正面側で開放状に形成してなるものである。また、この樹脂製基板２０の底部には、据付レール２の連係板座１３，１３と係合する係合爪３０，３０が形成される。また、図５に示すように、樹脂製基板２０の正面側には連結突部３１ａ，３１ｂが、背面側には連結穴３２ａ，３２ｂが形成されており、隣接する端子台６の連結突部３１ａ，３１ｂと連結穴３２ａ，３２ｂを嵌合させることで、端子台６を厚み方向に連結し得るよう構成されている。また、樹脂製基板２０の上部中央には、連結ネジ７を挿通する連結ネジ貫通孔３３が形成される。
【００３３】
ここで、２ピース式である端子台６は、第一片部６ａと第二片部６ｂの二つに分離可能に構成されている。具体的には、樹脂製基板２０が第一基板２０ａと第二基板２０ｂの二片によって構成され、また、導電金具２１も、第一基板２０ａに装着される第一金具２１ａと、第二基板２０ｂに装着される第二金具２１ｂの二片によって構成される。第一片部６ａは、図６，７に示すように、正面視略Ｌ字状をなしており、左側の接続部２２と、据付レール２と係合する係合爪３０は、第一片部６ａ側に設けられている。第二片部６ｂは、正面視略矩形状をなしており、右側の接続部２２と連結ネジ貫通孔３３は第二片部６ｂ側に設けられる。第一片部６ａと第二片部６ｂは、第一片部６ａに対して第二片部６ｂを上方から嵌合することによって結合状態となる。ここで、第一金具２１ａの内側端部には、上部に開口する接続孔３５が形成されるとともに、第二金具２１ｂの内側端部には、下方に延出する接続用端部３６が形成されている。そして、第二片部６ｂを第一片部６ａに嵌合すると、第二金具２１ｂの接続用端部３６が第一金具２１ａの接続孔３５に圧入されることによって、第一金具２１ａと第二金具２１ｂが密嵌状態となって相互に圧接し、これにより、二つの金具２１ａ，２１ｂに形成された接続部２２が電気的に接続されるよう構成されている。
【００３４】
端子台６は、図８（ａ）に示すように、据付レール２の長手方向に沿って相互に連結することで連結端子台３を構成している。ここで、図５に示すように、相互連結する端子台６，６では、第一片部６ａは、連結突部３１ａと連結穴３２ａを介して隣接する第一片部６ａと連結され、第二片部６ｂは、連結突部３１ｂと連結穴３２ｂを介して隣接する第二片部６ｂと連結している。このため、かかる端子台６を連結してなる連結端子台３は、図８（ｂ）に示すように、各端子台６の第一片部６ａが連結した第一片部列３ａと、第二片部６ｂが連結した第二片部列３ｂとに分離することができる。このように連結端子台３を二列に分離すれば、第一片部列３ａ側に接続されるリード線Ｌと、第二片部列３ｂ側に接続されるリード線Ｌとを相互非接続状態にできるため、集合端子台装置１のメンテナンス等を簡単に行うことが可能となる。
【００３５】
以下に、連結端子台３の両端に配設される端子台分離器４ａ，４ｂのうち、端子台６の正面側に連結される端子台分離器４ａについて説明する。
【００３６】
端子台分離器４ａは、図９，１０に示すように、連結端子台３の第一片部列３ａの端部と連結する固定片４０と、固定片４０に対して分離可能に取り付けられて、連結端子台３の第二片部列３ｂの端部と連結する分離片４１と、固定片４０に回動可能に保持された回動片４２とを備えている。
【００３７】
固定片４０は、図９〜１１に示すように、正面視において、端子台分離器４ａの下部と上部左側部とを構成する正面視Ｌ字状をなす樹脂片である。固定片４０の幅広の下部は、据付レール２に取り付けられる係合部４４を構成する。係合部４４の底部には、据付レール２と係合する左右一対の係合爪４５，４５が設けられる。固定片４０の上部左側部は、回動片４２を保持する保持部４６を構成する。保持部４６は、据付レール２の長手方向に対して対向する一対の保持板４７，４７と、保持板４７の間に保持される、据付レール２の長手方向に沿った支軸４８とで構成される。
【００３８】
分離片４１は、図９〜１２に示すように、正面視において、端子台分離器４ａの上部右側部を構成する樹脂片である。分離片４１は、固定片４０と嵌合し得る形状をなしており、固定片４０に対して、上方から装着される。また、分離片４１には、連結ネジ７を挿通させる連結ネジ貫通孔５０が形成される。この連結ネジ貫通孔５０は、連結ネジ７の端部を回転不能に保持し得るように六角形状に切り欠かれている。また、分離片４１には、上下に貫通するネジ挿入孔５１が形成される。ネジ挿入孔５１の下側開口は、固定片に形成された螺子孔（図示省略）と対向し、ネジ挿入孔５１の上部開口からネジを挿入し、螺子孔と螺合させることにより、固定片４０と分離片４１とを分離不能に螺着可能となっている。また、分離片４１の左上部には、回動片４２と係合するための係合溝部５２が形成される。また、分離片４１の左下部は、回動片４２によって押圧される受圧部５３を構成する。
【００３９】
回動片４２は、図９〜１２に示すように、支軸４８が貫通する軸孔５６が形成された回動中心部５７と、回動中心部５７から分離片４１の方向に延出する作用端部５８と、回動中心部５７の左上方に設けられる梃子棒挿入部５９と、該梃子棒挿入部５９の左上部から左方に延出する操作端部６１とを備えた樹脂片である。回動片４２は、回動中心部５７を支軸４８に保持されることによって、支軸４８を回動軸として回動可能に保持され、操作端部６１と作用端部５８が水平となる通常位置Ｐから、操作端部６１の先端が下方傾斜し、作用端部５８の先端が上方傾斜する押出位置Ｑへと回動可能となっている。梃子棒挿入部５９には、梃子棒Ｔを挿通する上下方向の梃子棒挿入穴６０が形成されており、梃子棒挿入穴６０にドライバー等の梃子棒Ｔを挿入して傾動させることにより、回動片４２を通常位置Ｐから押出位置Ｑへ回動させ得るよう構成されている。なお、梃子棒Ｔとしては、ドライバー等の棒状工具を好適に用いることができる。また、回動片４２は、梃子棒Ｔによらずに、操作端部６１を押し下げることによっても、通常位置Ｐから押出位置Ｑに回動させることができる。また、梃子棒挿入部５９の右上部には、分離片４１の係合溝部５２と係合する規制爪６２が設けられている。
【００４０】
図１３に示すように、端子台分離器４ａの背面側には連結穴５４ａ，５４ｂが形成されている。端子台分離器４ａは、該連結穴５４ａ，５４ｂを、端子台６の正面に形成された連結突部３１ａ，３１ｂと嵌合させることで、連結端子台３の端部に連結される。ここで、連結端子台３との連結状態にあって、固定片４０は、端子台６の第一片部６ａと連結されることにより、第一片部列３ａの端部に連結され、分離片４１は、端子台６の第二片部６ｂと連結されることにより、第二片部列３ｂの端部に連結される。
【００４１】
かかる端子台分離器４ａにあって、分離片４１を固定片４０に装着した状態では、図１１に示すように、回動片４２は、通常位置Ｐにあり、回動片４２の作用端部５８は、回動中心部５７から右方に延びて、分離片４１の受圧部５３の直下に位置している。かかる装着状態では、回動片４２の規制爪６２が分離片４１の係合溝部５２と係合することで、分離片４１の上方移動が規制される。
【００４２】
分離片４１の装着状態で、操作端部６１の押圧、又は梃子棒Ｔの傾動によって回動片４２を押出位置Ｑへ回動させると、図１２に示すように、回動片４２の規制爪６２が係合溝部５２の左側に退避して分離片４１が上昇可能となり、これとともに、分離片４１の受圧部５３の直下に位置していた作用端部５８が受圧部５３を直上方向に押圧して、分離片４１を上方に押し上げることにより、分離片４１が固定片４０から分離することとなる。このように、端子台分離器４ａは、操作端部６１を押し下げるか、梃子棒Ｔを挿入して傾動させることによって、固定片４０から分離片４１を分離することができる。
【００４３】
固定片４０から分離した分離片４１は、固定片４０の上方から再装着することができる。分離片４１を装着する時には、回動片４２が、分離片４１に作用端部５８を押し下げられることで、通常位置Ｐへと回動する。そして、分離片４１を固定片４０に完全に装着すると、回動片４２は通常位置Ｐに復帰し、規制爪６２が係合溝部５２と係合することで、分離片４１は、再び規制爪６２によって上昇不能に係止される。
【００４４】
図１４は、連結端子台３の反対側に配設される他方の端子台分離器４ｂである。かかる端子台分離器４ｂは、上述の端子台分離器４ａと、連結端子台３を挟んで略対称形状をなしている。上述の端子台分離器４ａとの違いは、反対側の端子台分離器４ｂは、端子台６の背面側と連結するため、図１４に示すように、端子台６と連結する側に、端子台６の背面に形成された連結穴３２ａ，３２ｂと嵌合する連結突部５５ａ，５５ｂを備えている点である。その他の構成については、上述の端子台分離器４ａと同じであるため、図中で同一符号を付して、説明を省略する。
【００４５】
本実施例の集合端子台装置１にあって、連結端子台３を第一片部列３ａと第二片部列３ｂとに分離するには、まず、図１５（ａ）に示すように、いずれか一方の端子台分離器４ａに梃子棒Ｔを挿入し、図１５（ｂ）に示すように、挿入した梃子棒Ｔを据付レール２の短手方向に傾動させる。かかる傾動操作によって、端子台分離器４ａの分離片４１が押し上げられて、連結端子台３を構成する端子台６のうち、端子台分離器４ａに近いものは、第二片部６ｂが分離片４１に従動することで、第一片部６ａと第二片部６ｂに分離することとなる。この時、連結端子台３の、端子台分離器４ａの反対側までは、端子台６が分離しないため、図１６（ａ）に示すように、反対側の端子台分離器４ｂにも梃子棒Ｔを挿入・傾動して、固定片４０から分離片４１を分離させる。このようにして、両側の端子台分離器４ａ，４ｂを固定片４０と分離片４１に分離させると、連結端子台３を構成する全ての端子台６を、第一片部６ａと第二片部６ｂに分離させることができ、図１６（ｂ）に示すように、集合端子台装置１から、第二片部列３ｂを分離させてメンテナンス作業等を行うことができる。分離した連結端子台３は、両端に分離片４１が付いた第二片部列３ｂを、第一片部列３ａの上に載せて押し下げることにより、再結合することができる。また、連結端子台３の再結合に伴って、端子台分離器４ａ，４ｂも、固定片４０に分離片４１が再装着される。なお、第二片部列３ｂと分離片４１は、連結ネジ７によって据付レール２の長手方向に一体的に締結されているため、連結端子台３を分離した時に、第二片部列３ｂと分離片４１が分解してしまうことはない。
【００４６】
以上のように、本実施例の端子台分離器４ａ，４ｂによれば、据付レール２の片側に露出する回動片４２を、据付レール２の長手方向を軸として回動操作することで、連結端子台３を二列に分離させることができる。このため、本実施例の集合端子台装置１の両端部には、長手方向に端子台分離器４ａ，４ｂを操作するためのツマミが突出せず、また、集合端子台装置１の長手方向に、端子台分離器４ａ，４ｂを操作するスペースを確保する必要もない。したがって、本実施例の集合端子台装置１は、従来構成に比して、長手方向の寸法を縮小することができ、比較的狭い場所にも設置可能となる。なお、本実施例の集合端子台装置１には、短手方向に、梃子棒Ｔを傾動したり、回動片４２の操作端部６１を押圧操作したりするためのスペースが必要であるが、端子台分離器４ａ，４ｂの有無に関わらず、集合端子台装置１の短手方向にはリード線Ｌを接続するためのスペースが確保されるため、端子台分離器４ａ，４ｂを操作するために専用のスペースを確保する必要はない。
【００４７】
特に、本実施例の端子台分離器４ａ，４ｂでは、右側上部に分離片４１が上方に分離可能に装着され、左側上部に保持された回動片４２を回動操作することで、分離片４１を押し上げて分離させるよう構成されているため、端子台分離器４ａ，４ｂを片側から操作するだけで容易に分離片４１を分離させることができる。
【００４８】
また、本実施例の集合端子台装置１では、各端子台分離器４ａ，４ｂで、作用端部５８が分離片４１を押し上げる位置と、各端子台６で、第一金具２１ａと第二金具２１ｂが密嵌する位置とが、上方から見た時に、据付レール２に沿って一列に配列している。すなわち、図３に示すように、端子台６の第一金具２１ａと第二金具２１ｂが、端子台６の幅方向の中央で密嵌しているのに合わせるように、端子台分離器４ａは、図１３に示すように、その幅方向の中央で、回動片４２によって分離片４１を押し上げるよう構成されている。端子台６を第一片部６ａと第二片部６ｂに分離させるには、第二金具２１ｂを強く上方に押し上げて第一金具２１ａから脱落させる必要があるが、かかる構成にあっては、回動片４２が分離片４１を押し上げる位置と、第一金具２１ａと第二金具２１ｂが密嵌する位置とが、据付レール２の長手方向に配列しているため、分離片４１を押し上げる力を、第二金具２１ｂに効率よく伝達して第二金具２１ｂを第一金具２１ａから脱落させることができるという利点がある。
【００４９】
また、本実施例では、回動片４２の通常位置Ｐにあって、回動片４２の規制爪６２が、分離片４１の係合溝部５２と上下に係合することで、分離片４１が上方に移動して固定片４０から分離するのを防止しているため、振動や衝撃などによって分離片４１が分離方向に移動して、連結端子台３が意図せずに二列に分離してしまうのを防止できる。特に、規制爪６２は、回動片４２が通常位置Ｐから回動すると分離片４１から退避し、回動片４２が通常位置Ｐに復帰すると分離片４１と係合するよう構成されているため、分離片４１の規制と規制解除を、必要に応じて簡単に行うことができるという利点がある。
【００５０】
また、本実施例では、回動片４２に梃子棒挿入穴６０が形成されており、該梃子棒挿入穴６０にドライバー等の梃子棒Ｔを挿入して傾動することで回動片４２を回動できるよう構成されている。このため、本実施例の集合端子台装置１は、手の届きにくい場所に設置された場合でも、細く、長い梃子棒を介することで回動片４２を容易に回動させることができる。また、第一片部列３ａと第二片部列３ｂが強固に結合している場合でも、梃子の原理を利用することで、連結端子台３を簡単に二列に分離させることができる。
【００５１】
また、本実施例では、回動片４２に、左方に延出する操作端部６１が設けられており、該操作端部６１を押圧操作することによっても回動片４２を回動させることができるため、梃子棒Ｔが手近にない場合でも連結端子台３を二列に分離させることができる。
【００５２】
次に、回動片にロック機構を配設した変形例の端子台分離器４ｃについて、図１７〜２３を参照して説明する。なお、以下の説明では、上記実施例の端子台分離器４ａと構成の共通する部分については、図中で符号を共通させて、説明を省略する。
【００５３】
変形例の端子台分離器４ｃには、図１７，１８に示すように、回動片４２ａにロック片４３が取り付けられている。具体的には、回動片４２ａは、肉厚な操作端部６１ａを備えている。該操作端部６１ａには、上下に貫通する摺動溝６５が形成されており、ロック片４３は、この摺動溝６５の内部に、左右に摺動可能に保持される。ロック片４３は、摺動溝６５内に摺動可能に保持される摺動部６６と、摺動部６６の上端に形成されて摺動溝６５の上に露出する上板部６７と、摺動部６６の下端に形成されて摺動溝６５の下に露出する回動阻止部６８とで構成される。
【００５４】
ロック片４３は、回動片４２ａに対して左右に摺動させることにより、右側の固定位置Ｒと左側の解除位置Ｓとに移動可能となっている。ロック片４３が固定位置Ｒにある状態では、図１８，１９に示すように、ロック片４３の回動阻止部６８が固定片４０の係合部４４の上に当接することにより、回動片４２ａを通常位置Ｐから回動操作不能となる。また、かかる状態では、ロック片４３の上板部６７が梃子棒挿入穴６０の入口を覆って閉鎖することで、梃子棒挿入穴６０に梃子棒Ｔを挿入不能となる。
【００５５】
ロック片４３は、上板部６７に指を押し当てて左方に摺動操作することで、図２０，２１に示すように、固定位置Ｒから解除位置Ｓに移動させることができる。ロック片４３を解除位置Ｓに移動させると、回動阻止部６８が固定片４０の係合部４４の上から退避して、回動片４２ａを通常位置Ｐから回動操作可能となる。また、ロック片４３の解除位置Ｓでは、上板部６７が梃子棒挿入穴６０の入口の左方に退避することで、梃子棒Ｔを梃子棒挿入穴６０に挿入可能となる。したがって、ロック片４３の解除位置Ｓでは、梃子棒挿入穴６０に梃子棒Ｔを挿入して傾動したり、操作端部６１を押し下げたりすることで、図２２，２３に示すように、回動片４２ａを通常位置Ｐから押出位置Ｑに回動して、分離片４１を固定片４０の上方に分離させることが可能となる。
【００５６】
このように、変形例の端子台分離器４ｃは、回動片４２ａに配設されたロック片４３を操作することで、回動片４２ａが回動しないように固定しておくことができる。このため、本変形例では、ロック片４３が固定位置Ｒにある状態では、操作端部６１に不用意に接触した場合でも、回動片４２ａが回動して分離片４１が分離することがなく、安全性に優れたものとなる。なお、回動片４２ａを固定した状態で、梃子棒Ｔによって回動片４２ａに強い力を加えると、端子台分離器４ｃが破損するおそれがあるため、本変形例では、ロック片４３の固定位置Ｒで、回動片４２ａが回動不能となるだけでなく、ロック片４３が梃子棒挿入穴６０を塞ぐことにより、梃子棒Ｔを回動片４２ａに挿入できないようにしている。また、本変形例では、ロック片４３の上端部（上板部６７）が回動片４２ａの上に露出しているため、上板部６７の位置によって、回動片４２が操作可能であるか否かを一目で把握できるという利点がある。
【００５７】
なお、本発明は、上記実施例の形態に限らず本発明の要旨を逸脱しない範囲内において種々変更を加えることができる。例えば、上記実施例の端子台分離器は、梃子棒による傾動操作と、操作端部の押圧操作との二種類の操作によって回動片を回動させ得るように構成されているが、本発明の端子台分離器は、少なくとも一種類の操作によって回動片を回動させ得るように構成されていればよい。また、上記実施例では、集合端子台装置の両端に本発明に係る端子台分離器を装着しているが、本発明の端子台分離器は、集合端子台装置の少なくとも一端に配設されていれば足りる。
【符号の説明】
【００５８】
１  集合端子台装置
２  据付レール
３  連結端子台
３ａ  第一片部列
３ｂ  第二片部列
４  端子台分離器
６  端子台
６ａ  第一片部
６ｂ  第二片部
７  連結ネジ
２０  樹脂製基板
２１  導電金具
２１ａ  第一金具
２１ｂ  第二金具
２２  接続部
４０  固定片
４１  分離片
４２，４２ａ  回動片
４３  ロック片
４８  支軸
５２  係合溝部
５３  受圧部
５７  回動中心部
５８  作用端部
６０  梃子棒挿入穴
６１，６１ａ  操作端部
６２  規制爪
６５  摺動溝
６６  摺動部
Ｌ  リード線
Ｐ  通常位置
Ｑ  押出位置
Ｒ  固定位置
Ｓ  解除位置
Ｔ  梃子棒
【図１】
0005855963.tif 000002
【図２】
0005855963.tif 000003
【図３】
0005855963.tif 000004
【図４】
0005855963.tif 000005
【図５】
0005855963.tif 000006
【図６】
0005855963.tif 000007
【図７】
0005855963.tif 000008
【図８】
0005855963.tif 000009
【図９】
0005855963.tif 000010
【図１０】
0005855963.tif 000011
【図１１】
0005855963.tif 000012
【図１２】
0005855963.tif 000013
【図１３】
0005855963.tif 000014
【図１４】
0005855963.tif 000015
【図１５】
0005855963.tif 000016
【図１６】
0005855963.tif 000017
【図１７】
0005855963.tif 000018
【図１８】
0005855963.tif 000019
【図１９】
0005855963.tif 000020
【図２０】
0005855963.tif 000021
【図２１】
0005855963.tif 000022
【図２２】
0005855963.tif 000023
【図２３】
0005855963.tif 000024